(57)【特許請求の範囲】
【請求項１】
光信号対雑音比の検出システムであって、波長ラベルローダと光信号対雑音比（ＯＳＮＲ）検出器を含み、
波長ラベルローダは、光信号に波長ラベル信号をロードして、波長ラベル信号のロード変調深度をＯＳＮＲ検出器へ送信するように配置され、
ＯＳＮＲ検出器は、各波長光信号におけるロードされた波長ラベル信号のロード変調深度を取得し、上記波長ラベル信号を解析して、上記波長ラベル信号の現在の変調深度を取得して、波長ラベル信号のロード変調深度と現在の変調深度に従って各波長光信号のＯＳＮＲ値を取得するように配置されることを特徴とするシステム。
【請求項２】
上記波長ラベルローダは、光信号に波長ラベル信号をロードして、上記波長ラベル信号のロード変調深度をチャネル連携情報として波長ラベルチャネルで送信し、或いはＯＳＣチャネルの内容として伝送するように配置され、
上記波長ラベルローダは、
光信号に波長ラベル信号をロードするように配置される波長ラベルロードユニットと、
波長ラベル信号がロードされた光信号を分配するように配置される第１のスプリッタと、
単一の波長光信号におけるロードされた波長ラベル信号を解析し、波長ラベル信号のロード変調深度を取得して、波長ラベル信号のロード変調深度を波長ラベルチャネル又はＯＳＣチャネルよりＯＳＮＲ検出器へ送信するように配置される第１の波長ラベル信号変調深度検出ユニットと、を含むことを特徴とする請求項１に記載のシステム。
【請求項３】
上記波長ラベルローダは、波長ラベル信号が光多重部のマルチウェーブ光信号にロードされた場合、第１のスプリッタに分配された光信号に対して逆多重化を行うように配置される第１の光チューナブルフィルタをさらに含むことを特徴とする請求項２に記載のシステム。
【請求項４】
上記第１の波長ラベル信号変調深度検出ユニットは各単一の波長に従って波長ラベル信号をロードする場合の光パワーの直流振幅値と、波長ラベル信号をロードする場合の波長ラベル周波数に対応する振幅値に従って、波長ラベル信号のロード変調深度を得るように配置されて、上記ロード変調深度を波長ラベルチャネルより光信号で伝送し、又はＯＳＣチャネルより伝送することを特徴とする請求項２又は３に記載のシステム。
【請求項５】
上記ＯＳＮＲ検出器は、波長ラベル信号がロードされた各波長光信号において、波長ラベルチャネルより上記ロード変調深度を取得して、又はＯＳＣチャネルより上記ロード変調深度を取得するように配置され、
上記ＯＳＮＲ検出器は、波長ラベルがロードされた各波長光信号転送ルートにおける任意の位置に設置され、
上記ＯＳＮＲ検出器は、
波長ラベル信号がロードされた光信号を分配するように配置される第２のスプリッタと、
波長ラベルチャネルより各波長光信号におけるロードされた波長ラベル信号のロード変調深度を取得して、又はＯＳＣチャネルより上記ロード変調深度を取得して、上記ロード変調深度をＯＳＮＲ値取得ユニットへ送信するように配置される波長ラベル情報検出ユニットと、
各波長光信号におけるロードされた波長ラベル信号を解析し、波長ラベル信号の現在の変調深度を取得して、上記現在の変調深度をＯＳＮＲ値取得ユニットへ送信するように配置される第２の波長ラベル信号変調深度検出ユニットと、
各波長光信号における波長ラベル信号のロード変調深度と現在の変調深度に従って各波長光信号のＯＳＮＲ値を取得するように配置されるＯＳＮＲ値取得ユニットと、
を含むことを特徴とする請求項１に記載のシステム。
【請求項６】
上記ＯＳＮＲ検出器は、波長ラベル信号がロードされた光多重部に、第２のスプリッタに分配された光信号に対して逆多重化を行うように配置される第２の光チューナブルフィルタを更に含み、
上記第２の波長ラベル信号変調深度検出ユニットは、各波長光信号におけるロードされた波長ラベル信号を解析し、解析された単一の波長におけるノイズパワーと現在の波長ラベル信号がロードされた単一の波長の光パワーの合計の直流振幅値と、現在の波長ラベル信号の波長ラベル周波数に対応する振幅値に従って、波長ラベル信号の現在の変調深度を得るように配置され、
上記ＯＳＮＲ値取得ユニットは、さらに、ＡＳＥノイズの帯域範囲に従って上記ＯＳＮＲ値を調整するように配置され、
上記波長ラベル情報検出ユニットは第２の波長ラベル信号変調深度検出ユニットに統合されることを特徴とする請求項５に記載のシステム。
【請求項７】
光信号対雑音比の検出方法であって、
波長ラベルローダは光信号に波長ラベル信号をロードして、波長ラベル信号のロード変調深度を波長ラベルチャネル又はＯＳＣチャネルよりＯＳＮＲ検出器へ送信することと、
ＯＳＮＲ検出器は、各波長光信号におけるロードされた波長ラベル信号のロード変調深度を取得し、上記波長ラベル信号を解析して、上記波長ラベル信号の現在の変調深度を取得し、波長ラベル信号のロード変調深度と現在の変調深度に従って各波長光信号のＯＳＮＲ値を取得することとを含むことを特徴とする方法。
【請求項８】
上記波長ラベル信号のロード変調深度をＯＳＮＲ検出器へ送信することは、波長ラベル信号のロード変調深度をチャネル連携情報として波長ラベルチャネルで送信し、或いはＯＳＣチャネルの内容として伝送し、
上記ＯＳＮＲ検出器が、各波長光信号におけるロードされた波長ラベル信号のロード変調深度を取得することは、ＯＳＮＲ検出器が波長ラベルチャネルより各波長光信号におけるロードされた波長ラベル信号のロード変調深度を取得して、又はＯＳＣチャネルより上記ロード変調深度を取得し、
上記波長ラベル信号を解析して、上記波長ラベル信号の現在の変調深度を取得することは、各波長光信号におけるロードされた波長ラベル信号を解析して、解析された単一の波長におけるノイズパワーと現在の波長ラベル信号がロードされた、単一の波長の光パワーの合計の直流振幅値と、現在の波長ラベル信号の波長ラベル周波数に対応する振幅値に従って、波長ラベル信号の現在の変調深度を得ることであることを特徴とする請求項７に記載の方法。
【請求項９】
上記方法は、さらに、ＯＳＮＲ検出器がＡＳＥノイズの帯域範囲に従って上記ＯＳＮＲ値を調整することを含むことを特徴とする請求項７に記載の方法。
【請求項１０】
波長ラベルローダであって、
光信号に波長ラベル信号をロードするように配置される波長ラベルロードユニットと、
波長ラベル信号がロードされた光信号を分配するように配置される第１のスプリッタと、
単一の波長光信号におけるロードされた波長ラベル信号を解析して、波長ラベル信号のロード変調深度を取得して、波長ラベル信号のロード変調深度を波長ラベルチャネル又はＯＳＣチャネルよりＯＳＮＲ検出器へ送信するように配置される第１の波長ラベル信号変調深度検出ユニットと、
を備えることを特徴とする波長ラベルローダ。
【請求項１１】
上記波長ラベルローダは、さらに、波長ラベル信号が光多重部のマルチウェーブ光信号にロードされた場合、第１のスプリッタに分配された光信号に対して逆多重化を行うように配置される第１の光チューナブルフィルタを含むことを特徴とする請求項１０に記載の波長ラベルローダ。
【請求項１２】
上記第１の波長ラベル信号変調深度検出ユニットは、各単一の波長に従って波長ラベル信号をロードする場合の光パワーの直流振幅値と、波長ラベル信号をロードする場合の波長ラベル周波数に対応する振幅値に従って、波長ラベル信号のロード変調深度を得て、上記ロード変調深度を波長ラベルチャネルより光信号で伝送し、又はＯＳＣチャネルより伝送することを特徴とする請求項１０又は１１に記載の波長ラベルローダ。
【請求項１３】
光信号対雑音比検出器であって、
波長ラベル信号がロードされた光信号を分配するように配置される第２のスプリッタと、
波長ラベルチャネルより各波長光信号におけるロードされた波長ラベル信号のロード変調深度を取得して、又はＯＳＣチャネルより上記ロード変調深度を取得し、上記ロード変調深度をＯＳＮＲ値取得ユニットへ送信するようにするように配置される波長ラベル情報検出ユニットと、
各波長光信号におけるロードされた波長ラベル信号を解析して、波長ラベル信号の現在の変調深度を取得して、上記現在の変調深度をＯＳＮＲ値取得ユニットへ送信するように配置される第２の波長ラベル信号変調深度検出ユニットと、
各波長光信号における波長ラベル信号のロード変調深度と現在の変調深度に従って各波長光信号のＯＳＮＲ値を取得するように配置されるＯＳＮＲ値取得ユニットと、
を備えることを特徴とする光信号対雑音比検出器。
【請求項１４】
上記光信号対雑音比検出器は、さらに、波長ラベル信号がロードされた光多重部のマルチウェーブ光信号で、第２のスプリッタに分配された光信号に対して逆多重化を行うように配置される第２の光チューナブルフィルタを含み、
上記第２の波長ラベル信号変調深度検出ユニットは、各波長光信号におけるロードされた波長ラベル信号を解析して、解析された単一の波長におけるノイズパワーと現在の波長光パワーの合計の直流振幅値と、現在の波長ラベル信号の波長ラベル周波数に対応する振幅値に従って、波長ラベル信号の現在の変調深度を得るように配置され、
上記波長ラベル情報検出ユニットが、第２の波長ラベル信号変調深度検出ユニットに統合されることを特徴とする請求項１３に記載の光信号対雑音比検出器。
【請求項１５】
上記ＯＳＮＲ値取得ユニットは、ＡＳＥノイズの帯域範囲に従って上記ＯＳＮＲ値を調整するように配置されることを特徴とする請求項１３又は１４に記載の光信号対雑音比検出器。
【発明の詳細な説明】
【技術分野】
【０００１】
本発明は光通信技術に関し、特に光信号対雑音比の検出方法、システム及び装置に関する。
【背景技術】
【０００２】
波長分割多重（ＷＤＭ：Ｗａｖｅｌｅｎｇｔｈ Ｄｉｖｉｓｉｏｎ Ｍｕｌｔｉｐｌｅｘ）技術の発展に伴って、現在の光通信ネットワークは同一の光ファイバにおいて同時に数十から数百の波長の光信号を転送でき、そして、再構成可能な光アドドロップマルチプレクサ（ＲＯＡＤＭ：Ｒｅｃｏｎｆｉｇｕｒａｂｌｅ Ｏｐｔｉｃａｌ Ａｄｄ-Ｄｒｏｐ Ｍｕｌｔｉｐｌｅｘｅｒ）に基づく技術は、光通信における各波長のリクエストに応じて配置することに便利が与えて、光ネットワークにおける各波長は二つのサイトの間で同じルートに保持しないようにさせ、又はある波長がずっとある二つのサイトに分配されることをしないようにさせる。
【０００３】
波長分割多重システムにおいて、波長ごとに一つのパイロットトーン（ｐｉｌｏｔ ｔｏｎｅ）信号をロードして、多種類の特殊な応用を実現できることは既に業界において検討されている。パイロットトーン信号はある場合で低周波ディザ（ｌｏｗ-ｆｒｅｑｕｅｎｃｙ ｄｉｔｈｅｒ）信号とも呼ばれ、波長信号にパイロットトーン信号をロードすることは転送性能に対する影響はほぼ無視できる。例えば、１９９３年に英国のＢＴ実験室、スウェーデンのＥｒｉｃｓｓｏｎなどの複数の事務所が光波技術ジャーナルに共同発表された『Ａ ｔｒａｎｓｐｏｒｔ ｎｅｔｗｏｒｋ ｌａｙｅｒ ｂａｓｅｄ ｏｎ ｏｐｔｉｃａｌ ｎｅｔｗｏｒｋ ｅｌｅｍｅｎｔｓ』（光ネットワークネットワークユニットに基づく転送ネットワーク層）では、パイロットトーン信号を利用して波長分割多重システムにおける故障管理に必要な波長チャネル確認とパワー管理を実現することが提出されている。また、１９９４年にカナダのＮｏｒｔｅｌ社のＫｉｍ Ｂ. Ｒｏｂｅｒｔｓより申請された特許『ｍｅｔｈｏｄ ａｎｄ ａｐｐａｒａｔｕｓ ｆｏｒ ｍｏｎｉｔｏｒｉｎｇ ｐｅｒｆｏｒｍａｎｃｅ ｏｆ ｏｐｔｉｃａｌ ｔｒａｎｓｍｉｓｓｉｏｎ ｓｙｓｔｅｍｓ』（光転送システムの性能モニターの方法及び装置）は、特許の公開番号がＵＳ ００５５１３０２９であり、光増幅器性能のモニター方法、即ち、既知の変調度のパイロットトーン信号をモニターして、光増幅器の信号と雑音成分の推定を実現することが提出されている。さらに、１９９６年にアメリカのベル実験室のＦｒｅｄ Ｈｅｉｓｍａｎｎらは、ＥＣＯＣ’９６会議に、論文番号がＷｅＢ２.２である『ｓｉｇｎａｌ ｔｒａｃｋｉｎｇ ａｎｄ ｐｅｒｆｏｒｍａｎｃｅ ｍｏｎｉｔｏｒｉｎｇ ｉｎ ｍｕｌｔｉ-ｗａｖｅｌｅｎｇｔｈ ｏｐｔｉｃａｌ ｎｅｔｗｏｒｋｓ』（マルチ波長光ネットワークの信号トラック及び性能モニター）を発表して、波長分割多重ネットワークのオンライン波長ルーティングトラックの実現スキームスキーム、即ち、波長ごとに一つの唯一のパイロットトーン信号を変調して、周波数シフトキーイング方式でデジタル情報のコーディングを行い、光ネットワークにおける任意のサイトでパイロットトーン信号をモニターして、全ネットワークの波長ルーティング情報を取得できることを公開した。
【０００４】
現在の４０Ｇ、１００Ｇなどの高速率の光信号の光信号対雑音比（ＯＳＮＲ：ｏｐｔｉｃａｌ ｓｉｇｎａｌ-ｔｏ-ｎｏｉｓｅ ｒａｔｉｏ）テスト、特に偏波多重光信号のＯＳＮＲテストは、いずれも従来のＯＳＮＲより検出する補間法又は偏波消光法を採用することができなく、新しい方法を採用してＯＳＮＲの検出を行う必要がある。ＡＬＣＡＴＥＬ ＬＵＣＥＮＴ社の公開番号がＵＳ２０１２０１０６９５１Ａ１で、名称が「Ｉｎ-ｂａｎｄ ｏｐｔｉｃａｌ ｓｉｇｎａｌ-ｔｏ-ｎｏｉｓｅ ｒａｔｉｏ ｍｅａｓｕｒｅｍｅｎｔ」（インバンド内のＯＳＮＲテスト）である特許において、狭帯域光チューナブルフィルタでそれぞれ中央通過帯域（ｃｅｎｔｅｒ−ｐａｓｓｂａｎｄ）とオフセット通過帯域の狭帯域光信号をフィルタリングして、パイロットトーン（ｐｉｌｏｔ ｔｏｎｅ）と前記２つの狭帯域光信号の強度によってペイロード（ｐａｙｌｏａｄ）光信号とエルビウム添加光ファイバ増幅器に蓄積された拡大自然放出（ＡＳＥ：Ａｍｐｌｉｆｉｅｄ Ｓｐｏｎｔａｎｅｏｕｓ Ｅｍｉｓｓｉｏｎ）ノイズの大きさを算出することは開示されているが、この特許方法について光サービス信号の変調パターンを考量してＯＳＮＲ値の校正などを行う必要があって、実現技術が複雑で、アルゴリズムも複雑であり、ＲＯＡＤＭに広く自由に使用されることに不利である。
【発明の概要】
【発明が解決しようとする課題】
【０００５】
これに鑑み、本発明の主な目的は、現在の４０Ｇ、１００Ｇ等の高速率の光信号のＯＳＮＲテスト、特に偏波多重光信号のＯＳＮＲテストに適用する光信号対雑音比の検出方法、システム及び装置を提供することにある。
【課題を解決するための手段】
【０００６】
上記目的を達するために、本発明の実施例の技術的なスキームは下記のように実現される。
【０００７】
本発明の実施例に提供される光信号対雑音比の検出システムは、波長ラベルローダと光信号対雑音比ＯＳＮＲ検出器を含み、この中に、
波長ラベルローダは、光信号に波長ラベル信号をロードして、波長ラベル信号のロード変調深度をＯＳＮＲ検出器へ送信するように配置され、
ＯＳＮＲ検出器は、各波長光信号におけるロードされた波長ラベル信号のロード変調深度を取得し、上記波長ラベル信号を解析して、上記波長ラベル信号の現在の変調深度を取得して、波長ラベル信号のロード変調深度と現在の変調深度に従って各波長光信号のＯＳＮＲ値を取得するように配置される。
【０００８】
上記スキームにおいて、上記波長ラベルローダは、光信号に波長ラベル信号をロードして、上記波長ラベル信号のロード変調深度をチャネル連携情報として波長ラベルチャネルで送信し、又はＯＳＣチャネルの内容として伝送するように配置される。
【０００９】
上記スキームにおいて、上記波長ラベルローダは波長ラベルロードユニットと、第１のスプリッタと、第１の波長ラベル信号変調深度検出ユニットを含み、この中に、
波長ラベルロードユニットは、高速光信号に波長ラベル信号をロードするように配置され、
第１のスプリッタは、波長ラベル信号がロードされた光信号を分配するように配置され、
第１の波長ラベル信号変調深度検出ユニットは、単一の波長光信号におけるロードされた波長ラベル信号を解析し、波長ラベル信号のロード変調深度を取得して、波長ラベル信号のロード変調深度を波長ラベルチャネル又はＯＳＣチャネルよりＯＳＮＲ検出器へ送信するように配置される。
【００１０】
上記スキームにおいて、上記波長ラベルローダは、波長ラベル信号が光多重部のマルチウェーブ光信号にロードされた場合に、第１のスプリッタに分配された光信号に対して逆多重化を行うように配置される第１の光チューナブルフィルタをさらに含む。
【００１１】
上記スキームにおいて、上記第１の波長ラベル信号変調深度検出ユニットは、各単一の波長に従って波長ラベル信号をロードする場合の光パワーの直流振幅値と、波長ラベル信号をロードする場合の波長ラベル周波数に対応する振幅値に従って、波長ラベル信号のロード変調深度を得て、上記ロード変調深度を波長ラベルチャネルより光信号で伝送し、又はＯＳＣチャネルより伝送するように配置される。
【００１２】
上記スキームにおいて、上記第１の波長ラベル信号変調深度検出ユニットは、さらに、波長ラベル信号のロード変調深度を波長ラベルロードユニットへフィードバックするように配置され、上記波長ラベルロードユニットは、波長ラベル信号のロード変調深度を調整する。
【００１３】
上記スキームにおいて、上記ＯＳＮＲ検出器は、波長ラベル信号がロードされた各波長光信号において、波長ラベルチャネルより上記ロード変調深度を取得して、又はＯＳＣチャネルより上記ロード変調深度を取得するように配置される。
【００１４】
上記スキームにおいて、上記ＯＳＮＲ検出器は波長ラベルがロードされた各波長光信号転送ルートにおける任意の位置に設置される。
【００１５】
上記スキームにおいて、上記ＯＳＮＲ検出器は、第２のスプリッタと、波長ラベル情報検出ユニットと、第２の波長ラベル信号変調深度検出ユニットと、ＯＳＮＲ値取得ユニットを含み、この中に、
第２のスプリッタは、波長ラベル信号がロードされた光信号を分配するように配置されて、
波長ラベル情報検出ユニットは、波長ラベルチャネルより各波長光信号におけるロードされた波長ラベル信号のロード変調深度を取得して、又はＯＳＣチャネルより上記ロード変調深度を取得して、上記ロード変調深度をＯＳＮＲ値取得ユニットへ送信するように配置されて、
第２の波長ラベル信号変調深度検出ユニットは、各波長光信号におけるロードされた波長ラベル信号を解析して、波長ラベル信号の現在の変調深度を取得して、上記現在の変調深度をＯＳＮＲ値取得ユニットへ送信するように設置されて、
ＯＳＮＲ値取得ユニットは、各波長光信号における波長ラベル信号のロード変調深度と現在の変調深度に従って各波長光信号のＯＳＮＲ値を取得するように配置される。
【００１６】
上記スキームにおいて、上記ＯＳＮＲ検出器は、波長ラベル信号がロードされた光多重部で、第２のスプリッタに分配された光信号に対して逆多重化を行うように配置された第２の光チューナブルフィルタをさらに含む。
【００１７】
上記スキームにおいて、上記第２の波長ラベル信号変調深度検出ユニットは、各波長光信号におけるロードされた波長ラベル信号を解析して、解析された単一の波長におけるノイズパワーと現在の波長ラベル信号がロードされた単一の波長の光パワーの合計の直流振幅値と、現在の波長ラベル信号の波長ラベル周波数に対応する振幅値に従って、波長ラベル信号の現在の変調深度を得るように配置される。
【００１８】
上記スキームにおいて、上記ＯＳＮＲ値取得ユニットは、さらに、ＡＳＥノイズの帯域範囲に従って上記ＯＳＮＲ値を調整するように配置される。
【００１９】
上記スキームにおいて、上記波長ラベル情報検出ユニットが第２の波長ラベル信号変調深度検出ユニットに統合される。
【００２０】
本発明の実施例に提供される光信号対雑音比の検出方法は、
波長ラベルローダは光信号に波長ラベル信号をロードして、波長ラベル信号のロード変調深度を波長ラベルチャネル又はＯＳＣチャネルよりＯＳＮＲ検出器へ送信することと、
ＯＳＮＲ検出器は各波長光信号におけるロードされた波長ラベル信号のロード変調深度を取得し、上記波長ラベル信号を解析して、上記波長ラベル信号の現在の変調深度を取得し、波長ラベル信号のロード変調深度と現在の変調深度に従って各波長光信号のＯＳＮＲ値を取得することとを含む。
【００２１】
上記スキームにおいて、上記波長ラベル信号のロード変調深度をＯＳＮＲ検出器へ送信することは、波長ラベル信号のロード変調深度をチャネル連携情報として波長ラベルチャネルで送信し、或いはＯＳＣチャネルの内容として伝送することである。
【００２２】
上記スキームにおいて、上記ＯＳＮＲ検出器は各波長光信号におけるロードされた波長ラベル信号のロード変調深度を取得することは、ＯＳＮＲ検出器は、波長ラベルチャネルより各波長光信号におけるロードされた波長ラベル信号のロード変調深度を取得して、又はＯＳＣチャネルより上記ロード変調深度を取得することである。
【００２３】
上記スキームにおいて、上記の上記波長ラベル信号を解析して、上記波長ラベル信号の現在の変調深度を取得することは、各波長光信号におけるロードされた波長ラベル信号を解析して、解析された単一の波長におけるノイズパワーと現在の波長ラベル信号がロードされた単一の波長の光パワーの合計の直流振幅値と、現在の波長ラベル信号の波長ラベル周波数に対応する振幅値に従って、波長ラベル信号の現在の変調深度を得ることである。
【００２４】
上記スキームにおいて、この方法は、さらに、ＯＳＮＲ検出器がＡＳＥノイズの帯域範囲に従って上記ＯＳＮＲ値を調整することを含む。
【００２５】
本発明の実施例に提供される波長ラベルローダは、波長ラベルロードユニットと、第１のスプリッタと、第１の波長ラベル信号変調深度検出ユニットを含み、この中に、
波長ラベルロードユニットは、高速光信号に波長ラベル信号をロードするように配置され、
第１のスプリッタは、波長ラベル信号がロードされた光信号を分配するように配置されて、
第１の波長ラベル信号変調深度検出ユニットは、単一の波長光信号におけるロードされた波長ラベル信号を解析して、波長ラベル信号のロード変調深度を取得して、波長ラベル信号のロード変調深度を波長ラベルチャネル又はＯＳＣチャネルよりＯＳＮＲ検出器へ送信するように配置される。
【００２６】
本発明の実施例に提供される光信号対雑音比検出器は、第２のスプリッタと、波長ラベル情報検出ユニットと、第２の波長ラベル信号変調深度検出ユニットと、ＯＳＮＲ値取得ユニットを含み、この中に、
第２のスプリッタは、波長ラベル信号がロードされた光信号を分配するように配置されて、
波長ラベル情報検出ユニットは、波長ラベルチャネルより各波長光信号におけるロードされた波長ラベル信号のロード変調深度を取得して、又はＯＳＣチャネルより上記ロード変調深度を取得して、上記ロード変調深度をＯＳＮＲ値取得ユニットへ送信するように配置され、
第２の波長ラベル信号変調深度検出ユニットは、各波長光信号におけるロードされた波長ラベル信号を解析して、波長ラベル信号の現在の変調深度を取得して、上記現在の変調深度をＯＳＮＲ値取得ユニットへ送信するように配置され、
ＯＳＮＲ値取得ユニットは、各波長光信号における波長ラベル信号のロード変調深度と現在の変調深度に従って各波長光信号のＯＳＮＲ値を取得するように配置される。
【発明の効果】
【００２７】
本発明の実施例は、光信号対雑音比の検出方法、システム及び装置を提供して、波長ラベルローダは、光信号に波長ラベル信号をロードして、波長ラベル信号のロード変調深度をＯＳＮＲ検出器へ送信し、ＯＳＮＲ検出器は、各波長光信号におけるロードされた波長ラベル信号のロード変調深度を取得して、上記波長ラベル信号を解析して、上記波長ラベル信号の現在の変調深度を取得して、波長ラベル信号のロード変調深度と現在の変調深度に従って各波長光信号のＯＳＮＲ値を取得し、そうすれば、現在の４０Ｇ、１００Ｇ等の高速率の光信号のＯＳＮＲテスト、特に偏波多重光信号のＯＳＮＲテストに適用する。
【図面の簡単な説明】
【００２８】
【図１】本発明の実施例より提供される光信号対雑音比の検出システムの構造を示す図である。
【図２】本発明の実施例より提供される光信号対雑音比の検出システムにおける波長ラベル情報検出ユニットが第２の波長ラベル信号変調深度検出ユニットへ統合される構造を示す図である。
【図３】本発明の実施例より提供される光信号対雑音比検出方法のフローチャートである。
【図４】本発明の実施例における波長ラベルを利用してＯＳＮＲ検出応用を行う一つのシーンを示す図である。
【図５】本発明の実施例における波長ラベルを利用してＯＳＮＲ検出応用を行うもう一つのシーンを示す図である。
【図６】本発明の実施例における図５のシーンにおけるＯＳＮＲ検出器の構造を示す図である。
【図７】本発明の実施例における波長ラベルローダから出力された波長ラベル付けの光信号の模式図である。
【図８】本発明の実施例の中でＯＳＮＲ検出器より検出される波長ラベルとＡＳＥノイズ付けの光信号を示す図である。
【発明を実施するための形態】
【００２９】
本発明の実施例は波長ラベル技術を使用する波長分割多重システムに基づいて、波長ラベル信号変調深度よる精確な調整と計測を利用して、波長分割多重システムに対して光信号対雑音比（ＯＳＮＲ：Ｏｐｔｉｃａｌ Ｓｉｇｎａｌ Ｎｏｉｓｅ Ｒａｔｉｏ）を検出することを実現する。波長ラベル技術は、中国郵電業界標準ＹＤ/Ｔ ２００３-２００９の『再構成可能な光アドドロップマルチプレクサ（ＲＯＡＤＭ)装置の技術要求）』の付録Ｄに参考でき、ＲＯＡＤＭ応用における波長トレイル監視（波長ラベル）技術が紹介された。波長ルートのソース側で、波長信号が波長分割ネットワークを進入する前にエンコーダを使用して変調符号化を行って、波長信号毎に一つの全ネットワークの唯一の識別子、即ち波長ラベルを付加し、波長ルートにおける経由する各ノードの各参考ポイントには、いずれも嵌め込まれた波長ラベル検出器よりこの参考ポイントを経由する各波長の波長ラベルをモニターして識別できる。
【００３０】
波長ラベルのソース側で、波長ごとに単一の周波数を使用して波長ラベルのロードを行うことができ、ある一つのバイト又はポーターで１を転送する場合に、現在の時間ウィンドウ内で波長ラベル周波数をロードして、０を転送する場合、波長ラベル周波数をロードしなくて、そしてソース側でロードする場合も、一定のコーディング方式より、フレーム検証等の情報を追加でき、受信側で、各波長ラベル周波数の時間ウィンドウ内の振幅の変化に従って、ソース側から送信された波長ラベル情報を検出できる。
【００３１】
本発明の実施例において、波長ラベルローダは光信号に波長ラベル信号をロードして、波長ラベル信号のロード変調深度をＯＳＮＲ検出器へ送信し、ＯＳＮＲ検出器は各波長光信号におけるロードされた波長ラベル信号のロード変調深度を取得し、上記波長ラベル信号を解析して、上記波長ラベル信号の現在の変調深度を取得し、波長ラベル信号のロード変調深度と現在の変調深度に従って各波長光信号のＯＳＮＲ値を取得する。
【００３２】
以下、図面と具体的な実施例より本発明に対してさらに詳細に説明する。
【００３３】
本発明の実施例では光信号対雑音比の検出システムを提供して、図１に示すように、このシステムは、波長ラベルローダ１１とＯＳＮＲ検出器１２を含み、この中に、
波長ラベルローダ１１は、光信号に波長ラベル信号をロードして、波長ラベル信号のロード変調深度をＯＳＮＲ検出器１２へ送信するように配置されて、
上記波長ラベルローダ１１は、具体的に、光信号に波長ラベル信号をロードして、上記波長ラベル信号のロード変調深度をチャネル連携情報として波長ラベルチャネルより送信し、或いはＯＳＣチャネルの内容として伝送するように配置されて、
上記波長ラベルローダ１１は、波長ラベルロードユニット１１１と、第１のスプリッタ１１２と、第１の波長ラベル信号変調深度検出ユニット１１４を含み、この中に、
波長ラベルロードユニット１１１は、高速光信号に波長ラベル信号をロードし、集積型波長可変レーザアセンブリ（ＩＴＬＡ）と、電気可変光減衰器（ＥＶＯＡ）と、光増幅器等の装置を採用することより光信号に対して波長ラベル信号をロードすることを実現でき、波長ラベル信号が光多重部のマルチウェーブ光信号にロードされると、電気可変光減衰器（ＥＶＯＡ）、光増幅器等の装置を採用できて、波長ラベル信号が単一波にロードされると、集積型波長可変レーザアセンブリ（ＩＴＬＡ）と、電気可変光減衰器（ＥＶＯＡ）と、光増幅器等の装置を採用できるように配置され、
第１のスプリッタ１１２は、波長ラベル信号がロードされた光信号を分配するように配置され、
第１の波長ラベル信号変調深度検出ユニット１１４は、単一の波長光信号におけるロードされた波長ラベル信号を解析して、波長ラベル信号のロード変調深度を取得して、波長ラベル信号のロード変調深度を波長ラベルチャネル又は光監視（ＯＳＣ）チャネルよりＯＳＮＲ検出器へ送信するように配置され、
上記波長ラベルローダ１１は、波長ラベル信号が光多重部のマルチウェーブ光信号にロードされた場合、第１のスプリッタ１１２に対して分配される光信号に逆多重化を行うように配置される第１の光チューナブルフィルタ１１３をさらに含み、ここで、波長ラベル信号が単一の波にロードされた場合、波長ラベルローダ１１に対して第１の光チューナブルフィルタ１１３が必要しないことは表明されており、
上記第１の波長ラベル信号変調深度検出ユニット１１４は、具体的に、各単一の波長に従って波長ラベル信号をロードする場合の光パワーの直流振幅値と、波長ラベル信号をロードする場合の波長ラベル周波数に対応する振幅値に従って、波長ラベル信号のロード変調深度を得て、上記ロード変調深度を波長ラベルチャネルより光信号で伝送し、又はＯＳＣチャネルより伝送するように配置され、
具体的に、上記第１の波長ラベル信号変調深度検出ユニット１１４は単一の波長に波長ラベル信号がロードされる場合の光パワーの直流振幅値Ｐｓ1と、波長ラベル信号がロードされた場合の波長ラベル周波数に対応する振幅値Ｐｔ１に従って、式（１）より上記単一の波長の波長ラベル信号のロード変調深度ｍ1を得て、上記ロード変調深度ｍ1を波長ラベルチャネル又はＯＳＣチャネルより伝送ＯＳＮＲ検出器へ転送されて、
【００３４】
【数１】
0006005295.tif 000002
【００３５】
上記第１の波長ラベル信号変調深度検出ユニット１１４は、さらに波長ラベル信号のロード変調深度を波長ラベルロードユニット１１１へフィードバックするように配置され、上記波長ラベルロードユニット１１１は波長ラベル信号のロード変調深度を適切な範囲、例えば５％〜１０％の範囲に調整し、
ＯＳＮＲ検出器１２は、各波長光信号におけるロードされた波長ラベル信号のロード変調深度を取得し、波長ラベル信号を解析して、上記波長ラベル信号の現在の変調深度を取得して、波長ラベル信号のロード変調深度と現在の変調深度に従って各波長光信号のＯＳＮＲ値を取得するように配置され、
上記ＯＳＮＲ検出器１２は、具体的に、波長ラベル信号がロードされた各波長光信号において、波長ラベルチャネルより上記波長ラベル信号のロード変調深度を取得して、又はＯＳＣチャネルより上記ロード変調深度を取得するように配置され、
上記ＯＳＮＲ検出器１２は、波長ラベルがロードされた各波長光信号転送ルートにおける任意の位置に設置されることができて、
上記ＯＳＮＲ検出器１２は、具体的に、第２のスプリッタ１２１と、波長ラベル情報検出ユニット１２３と、第２の波長ラベル信号変調深度検出ユニット１２４と、ＯＳＮＲ値取得ユニット１２５を含み、この中に、
第２のスプリッタ１２１は、波長ラベル信号がロードされた光信号を分配するように配置され、
波長ラベル情報検出ユニット１２３は、波長ラベルチャネルより各波長光信号におけるロードされた波長ラベル信号のロード変調深度を取得して、又はＯＳＣチャネルより上記ロード変調深度を取得して、上記ロード変調深度をＯＳＮＲ値取得ユニット１２５へ送信するように配置されて、
第２の波長ラベル信号変調深度検出ユニット１２４は、各波長光信号におけるロードされた波長ラベル信号を解析して、波長ラベル信号の現在の変調深度を取得して、上記現在の変調深度をＯＳＮＲ値取得ユニット１２５へ送信するように配置され、
ＯＳＮＲ値取得ユニット１２５は、各波長光信号における波長ラベル信号のロード変調深度と現在の変調深度に従って各波長光信号のＯＳＮＲ値を取得するように配置されて、
上記ＯＳＮＲ検出器１２は、さらに、波長ラベル信号が光多重部のマルチウェーブ光信号にロードされた場合、第２のスプリッタ１２１に分配された光信号に対して逆多重化を行う第２の光チューナブルフィルタ１２２を含むように配置される。
【００３６】
上記第２の波長ラベル信号変調深度検出ユニット１２４は、具体的に、各波長光信号におけるロードされた波長ラベル信号を解析して、単一の波長におけるノイズパワーＰａｓｅと現在の波長ラベル信号の光パワーの直流振幅値Ｐｓ２の合計と、現在の波長ラベル信号の波長ラベル周波数に対応する振幅値Ｐｔ２を解析して、式（２）に従って波長ラベル信号の現在の変調深度ｍ２を得るように配置され、上記単一の波長におけるノイズパワーＰａｓｅとは、第２の光チューナブルフィルタがある場合に第２の光チューナブルフィルタ１２２の帯域内のノイズパワーであり、第２の光チューナブルフィルタがない時に逆多重化された単一の波長帯域内のノイズパワーである。
【００３７】
【数２】
0006005295.tif 000003
【００３８】
上記ＯＳＮＲ値取得ユニット１２５は転送プロセスにおけるパイロットトーンコンポーネントと信号コンポーネントの比率が変わらないことに従って、即ち、
【００３９】
【数３】
0006005295.tif 000004
【００４０】
式（３）に示すように各波長光信号のＯＳＮＲ値であるＯＳＮＲｔを算出する。
【００４１】
【数４】
0006005295.tif 000005
【００４２】
上記ＯＳＮＲ値取得ユニット１２５は、さらにＡＳＥノイズの帯域範囲に従って上記ＯＳＮＲ値であるＯＳＮＲｔを調整するように配置され、具体的に、
上記のＰａｓｅが第２の光チューナブルフィルタの全体チャネル内のＡＳＥノイズであるが、実際のＡＳＥメジャーは０.１ｎｍ内のノイズに基づくものであるので、ノイズ幅の調整を行う必要があり、調整された第２の光チューナブルフィルタ帯域内のノイズパワーがＰａｓｅ_０.１ｎｍであり、調整係数をＫに仮定して、式（３）に修正を行って、式（４）に示すように上記ＯＳＮＲ値であるＯＳＮＲｔ２を得る。
【００４３】
【数５】
0006005295.tif 000006
【００４４】
以上のＯＳＮＲ値を計算することは第２の光チューナブルフィルタが全体チャネルである場合にあることであり、実際に、第２の光チューナブルフィルタは全体チャネル帯域を占めなくて、例えば、光信号チャネルの幅が０.４ｎｍで、第２の光チューナブルフィルタの幅が０.３ｎｍの矩形である場合、上記調整係数はＫ＝３であり、光信号チャネルは幅が０.４ｎｍであって、第２の光チューナブルフィルタは３次ガウシアンフィルタであって、３ｄＢ帯域が３０ＧＨｚである場合、上記調整係数はＫ＝１.９８８５である。
【００４５】
上記波長ラベル情報検出ユニット１２３と第２の波長ラベル信号変調深度検出ユニット１２４が一つの検出ユニットに統合でき、図２に示すように、上記波長ラベル情報検出ユニット１２３を第２の波長ラベル信号変調深度検出ユニット１２４に統合して、そうすれば、上記第２の波長ラベル信号変調深度検出ユニット１２４は、さらに波長ラベルチャネルより光信号にロードされた波長ラベル信号のロード変調深度を取得して、又はＯＳＣチャネルより上記ロード変調深度を取得して、上記ロード変調深度をＯＳＮＲ値取得ユニット１２５へ送信するように配置される。
【００４６】
上記システムに基づいて、本発明の実施例は、さらに波長ラベルローダを提供して、図１に示すように、上記波長ラベルローダ１１は、波長ラベルロードユニット１１１と、第１のスプリッタ１１２と、第１の波長ラベル信号変調深度検出ユニット１１４を含み、この中に、
波長ラベルロードユニット１１１は、高速光信号に波長ラベル信号をロードし、集積型波長可変レーザアセンブリと、電気可変光減衰器と、光増幅器等の装置を採用して光信号に対して波長ラベル信号をロードすることを実現でき、波長ラベル信号が光多重部のマルチウェーブ光信号にロードされると、電気可変光減衰器と、光増幅器等の装置を採用でき、波長ラベル信号が単一の波にロードされると、集積型波長可変レーザアセンブリと、電気可変光減衰器と、光増幅器等の装置を採用でき、
第１のスプリッタ１１２は、波長ラベル信号がロードされた光信号を分配するように配置され、
第１の波長ラベル信号変調深度検出ユニット１１４は、単一の波長光信号におけるロードされた波長ラベル信号を解析して、波長ラベル信号のロード変調深度を取得して、波長ラベル信号のロード変調深度を波長ラベルチャネル又は光監視（ＯＳＣ）チャネルよりＯＳＮＲ検出器へ送信するように設置され、
上記波長ラベルローダ１１は、さらに、波長ラベル信号が光多重部のマルチウェーブ光信号にロードされた場合、第１のスプリッタ１１２に対して分配する光信号に逆多重化を行う第１の光チューナブルフィルタ１１３を含むように配置され、ここで、波長ラベル信号が単一の波にロードされた場合、波長ラベルローダ１１に対して第１の光チューナブルフィルタ１１３が必要しないことを表明し、
上記第１の波長ラベル信号変調深度検出ユニット１１４は、具体的に、各単一の波長に従って波長ラベル信号をロードする場合の光パワーの直流振幅値と、波長ラベル信号をロードする場合の波長ラベル周波数に対応する振幅値に従って、波長ラベル信号のロード変調深度を得て、上記ロード変調深度を波長ラベルチャネルより光信号で伝送し、又はＯＳＣチャネルより伝送するように配置され、
具体的に、上記第１の波長ラベル信号変調深度検出ユニット１１４は、単一の波長に波長ラベル信号がロードされる場合の光パワーの直流振幅値Ｐｓ１と、波長ラベル信号がロードされた場合の波長ラベル周波数に対応する振幅値Ｐｔ１に従って、式（１）に従って、上記単一の波長の波長ラベル信号のロード変調深度ｍ１を得て、上記ロード変調深度ｍ１を波長ラベルチャネル又はＯＳＣチャネルよりＯＳＮＲ検出器へ転送して、
【００４７】
【数６】
0006005295.tif 000007
【００４８】
上記第１の波長ラベル信号変調深度検出ユニット１１４は、さらに、波長ラベル信号のロード変調深度を波長ラベルロードユニット１１１へフィードバックするように配置され、上記波長ラベルロードユニット１１１は、波長ラベル信号のロード変調深度を適切な範囲、例えば５％〜１０％の範囲に調整する。
【００４９】
上記システムに基づいて、本発明の実施例は、さらに、光信号対雑音比検出器を提供し、図１に示すように、上記ＯＳＮＲ検出器１２は、具体的に、第２のスプリッタ１２１と、波長ラベル情報検出ユニット１２３と、第２の波長ラベル信号変調深度検出ユニット１２４と、ＯＳＮＲ値取得ユニット１２５を含み、この中に、
第２のスプリッタ１２１は、波長ラベル信号がロードされた光信号を分配するよう配置され、
波長ラベル情報検出ユニット１２３は、波長ラベルチャネルより各波長光信号におけるロードされた波長ラベル信号のロード変調深度を取得して、又はＯＳＣチャネルより上記ロード変調深度を取得して、上記ロード変調深度をＯＳＮＲ値取得ユニット１２５へ送信するように配置され、
第２の波長ラベル信号変調深度検出ユニット１２４は、各波長光信号におけるロードされた波長ラベル信号を解析して、波長ラベル信号の現在の変調深度を取得して、上記現在の変調深度をＯＳＮＲ値取得ユニット１２５へ送信するように配置され、
ＯＳＮＲ値取得ユニット１２５は、各波長光信号における波長ラベル信号のロード変調深度と現在の変調深度に従って各波長光信号のＯＳＮＲ値を取得するように配置され、
上記ＯＳＮＲ検出器１２は、波長ラベル信号が光多重部のマルチウェーブ光信号にロードされた場合、第２のスプリッタ１２１に分配された光信号に対して逆多重化を行うように配置される第２の光チューナブルフィルタ１２２をさらに含む。
【００５０】
上記第２の波長ラベル信号変調深度検出ユニット１２４は、具体的に、各波長光信号におけるロードされた波長ラベル信号を解析して、単一波長上におけるノイズパワーＰａｓｅと現在の波長ラベル信号の光パワーの直流振幅値Ｐｓ２の合計と、現在の波長ラベル信号の波長ラベル周波数に対応する振幅値Ｐｔ２を解析して、式（２）に従って波長ラベル信号の現在の変調深度ｍ２を得るように配置されて、上記単一の波長におけるノイズパワーＰａｓｅとは、第２の光チューナブルフィルタがある場合に第２の光チューナブルフィルタ１２２の帯域内のノイズパワーであり、第２の光チューナブルフィルタがない場合に逆多重化された単一の波長帯域内のノイズパワーである。
【００５１】
【数７】
0006005295.tif 000008
【００５２】
上記ＯＳＮＲ値取得ユニット１２５は、転送プロセスにパイロットトーンコンポーネントと信号コンポーネントの比率が変わらないことに従い、即ち、
【００５３】
【数８】
0006005295.tif 000009
【００５４】
式（３）に示すように各波長光信号のＯＳＮＲ値のＯＳＮＲｔを算出する。
【００５５】
【数９】
0006005295.tif 000010
【００５６】
上記ＯＳＮＲ値取得ユニット１２５は、さらにＡＳＥノイズの帯域範囲に従って上記ＯＳＮＲ値であるＯＳＮＲｔを調整するように配置されて、具体的に、
上記のＰａｓｅが第２の光チューナブルフィルタの全体チャネル内のＡＳＥノイズであって、実際のＡＳＥメジャーは０.１ｎｍ内のノイズに基づくことであるので、ノイズ幅の調整を行う必要があって、調整された第２の光チューナブルフィルタ帯域内のノイズパワーがＰａｓｅ_０.１ｎｍであって、調整係数をＫに仮定して、式（３）に修正を行って、式（４）に示すように上記ＯＳＮＲ値であるＯＳＮＲｔ２を得て、
【００５７】
【数１０】
0006005295.tif 000011
【００５８】
以上のＯＳＮＲ値を計算することは第２の光チューナブルフィルタが全体チャネルである情况だが、実際に、第２の光チューナブルフィルタは全体チャネル帯域を占めなくて、例えば、光信号チャネルの幅が０.４ｎｍで、第２の光チューナブルフィルタの幅が０.３ｎｍの矩形である場合、上記調整係数はＫ＝３で、光信号チャネルの幅が０.４ｎｍであって、第２の光チューナブルフィルタは３次ガウシアンフィルタであって、３ｄＢ帯域が３０ＧＨｚである場合に、上記調整係数はＫ＝１.９８８５である。
【００５９】
上記波長ラベル情報検出ユニット１２３と第２の波長ラベル信号変調深度検出ユニット１２４が一つの検出ユニットに統合でき、図２に示すように、上記波長ラベル情報検出ユニット１２３を第２の波長ラベル信号変調深度検出ユニット１２４に統合して、そうすれば、上記第２の波長ラベル信号変調深度検出ユニット１２４は、さらに波長ラベルチャネルより光信号にロードされた波長ラベル信号のロード変調深度を取得して、又はＯＳＣチャネルより上記ロード変調深度を取得して、上記ロード変調深度をＯＳＮＲ値取得ユニット１２５へ送信するように配置される。
【００６０】
上記システムに基づいて、本発明の実施例はさらに光信号対雑音比を検出する方法を提供して、図３に示すように、この方法は、以下のいくつかのステップを含み、
ステップ２０１：波長ラベルローダは、光信号に波長ラベル信号をロードして、波長ラベル信号のロード変調深度を波長ラベルチャネル又はＯＳＣチャネルよりＯＳＮＲ検出器へ送信し、
具体的に、波長ラベルローダは光信号に波長ラベル信号をロードして、波長ラベル信号のロード変調深度ｍ１をチャネル連携情報として波長ラベルチャネルで送信し、或いはＯＳＣチャネルの内容として伝送する。
【００６１】
ステップ２０２：ＯＳＮＲ検出器は、各波長光信号におけるロードされた波長ラベル信号のロード変調深度を取得して、
具体的に、ＯＳＮＲ検出器は、波長ラベルチャネルより各波長光信号におけるロードされた波長ラベル信号のロード変調深度を取得して、又はＯＳＣチャネルより上記ロード変調深度ｍ１を取得する。
【００６２】
ステップ２０３：ＯＳＮＲ検出器は、上記波長ラベル信号を解析して、上記波長ラベル信号の現在の変調深度を取得して、
具体的に、ＯＳＮＲ検出器は、各波長光信号におけるロードされた波長ラベル信号を解析して、単一の波長におけるノイズパワーＰａｓｅと現在の波長ラベル信号の光パワーの直流振幅値Ｐｓ２の合計と、現在の波長ラベル信号の波長ラベル周波数に対応する振幅値Ｐｔ２を解析して、式（２）に従って波長ラベル信号の現在の変調深度ｍ２を得る。
【００６３】
ステップ２０４：ＯＳＮＲ検出器は、波長ラベル信号のロード変調深度と現在の変調深度に従って各波長光信号のＯＳＮＲ値を取得して、
本ステップは、さらに、ＯＳＮＲ検出器はＡＳＥノイズの帯域範囲に従って上記ＯＳＮＲ値を調整することを含む。
【００６４】
図４は波長ラベルを利用してＯＳＮＲ検出応用を行う一つの典型的なシーンであって、図４において、波長分割多重システムの一つのシングルファイバの単方向転送応用において、複数の光信号の送信光再伝送ユニット（ＯＴＵ）４０１と、一つの光合成波ユニット４０２と、一つの光分岐挿入多重ユニット４０３と、一つの光逆多重化ユニット４０４と、二つの光拡大ユニット４０５と、光ファイバ４０６と、複数の波長ラベルローダ４０７と、複数のＯＳＮＲ検出器４０８と、複数の光信号の受信ＯＴＵ４０９を含み、
なお、ＯＳＮＲ検出は波長ラベルがロードされた光信号転送ルートにおける任意ポイントで行うことができ、図４には典型的なＯＳＮＲ検出位置のみが示される。例えば、システムにおいて多段階光分岐挿入多重が存在する場合、波長ラベル信号がロードされた後、光分岐挿入多重ユニットごとにＯＳＮＲ検出器を設置でき、光拡大ユニットごとの前後にＯＳＮＲ検出器を設置でき、光信号受信用のＯＴＵの前にもＯＳＮＲ検出器を設置でき、ＯＳＮＲに対するオンラインモニターを実現する。
【００６５】
図５は波長ラベルを利用してＯＳＮＲ検出を行うもう一つの応用の典型的なシーンであり、図５において、波長分割多重システムの一つのシングルファイバの単方向転送応用において、複数の光信号の送信ＯＴＵ ５０１と、二つの光合成波ユニット５０２と、一つの光分岐挿入多重ユニット５０３と、一つの光逆多重化ユニット５０４と、二つの光拡大ユニット５０５と、光ファイバ５０６と、二つの波長ラベルローダ５０７と、複数のＯＳＮＲ検出器５０８と、複数の光信号の受信ＯＴＵ５０９を含み、
この応用シーンにおいて、できる限り同一の波長に複数回の波長ラベルロードが現れないように波長ラベルロードが、合波されたマルチウェーブ光信号に置かれる。そのため、サービスアドオンドロップがあるノードで、まずアド波長の合波を完成して、次に複数の波長に対して波長ラベルロードを行って、更に光多重部で合波された光信号を送信する。すべて多重の後で波長ラベルのロードを行うと、同一の波長で波長ラベルが複数回ロードされる可能性があり、その場合、各波長ラベルローダは波長ラベル信号がロードされる周波数は異なるようにすべきであって、且つ変調深度が大きすぎないようにすべきである。
【００６６】
ＯＳＮＲ検出は波長ラベルがロードされた光信号転送ルートにおける任意ポイントで行うことができ、図５には典型的なＯＳＮＲ検出位置のみが示される。例えば、システムにおいて多段階光分岐挿入多重が存在する場合、波長ラベルローダで波長ラベル情報がロードされた後で、光分岐挿入多重ユニットごとにＯＳＮＲ検出器を設置でき、光拡大ユニットごとの前後にＯＳＮＲ検出器を設置でき、光信号受信ＯＴＵの前にＯＳＮＲ検出器を設置でき、ＯＳＮＲに対するオンラインモニターを実現する。
【００６７】
図６は図５シーンにおけるＯＳＮＲ検出器の構造図であって、ＯＳＣチャネルよりロード変調深度ｍ１を光信号方向に沿って伝送する場合のＯＳＮＲ検出器に対応して、第２のスプリッタ１２１と、第２の光チューナブルフィルタ１２２又は逆多重化器と、第２の波長ラベル信号変調深度検出ユニット１２４と、ＯＳＮＲ値取得ユニット１２５及び波長ラベル情報検出ユニット１２３を含み、分光された後で、第２の光チューナブルフィルタ１２２より単波長光信号がフィルタリングされた後、第２の波長ラベル信号変調深度検出ユニット１２４は現在の波長ラベルの変調深度ｍ２を検出して、波長ラベル情報検出ユニット１２３よりＯＳＣチャネルから伝送された波長ラベルのロード変調深度ｍ１を受信し、ＯＳＮＲ値取得ユニット１２５は各波長光信号に対応するｍ１とｍ２より、この時に各波長光信号のＯＳＮＲ値を算出する。
【００６８】
図７は波長ラベルローダから出力された波長ラベル付けのＡＳＥノイズがない光信号である。これより分かるように、波長ラベル信号が高速光信号上にロードされた後、一定の時間Ｔ１内で、チャネル内で伝送されるのは波長ラベルにおける「１」信号の可能性もあって、伝送されるのは波長ラベルにおける「０」信号の可能性もある。ある場合間Ｔ１内で「０」信号を伝送する場合に、光信号にいずれかの低周波数信号がロードされなく、ある場合間段Ｔ１内で「１」信号を伝送する場合に、図の中のｆ１周波数に示すように、その波長に対応するある一つの低周波数信号が光信号にロードされる。この時に、ロード側波長ラベルの変調深度値がｍ１である。同時に、波長ラベルにおける「０」と「１」信号で形成された波長ラベルチャネルのため、ロード側の変調深度値ｍ１をこの波長ラベルチャネルよりＯＳＮＲ検出器へ伝送できる。
【００６９】
図８はＯＳＮＲ検出器検出する波長ラベルとＡＳＥノイズ付けの光信号である。その中に、光信号が長距離光ファイバ転送を経た後で、ＡＳＥノイズが携帯される。これより分かるように、ＯＳＮＲ検出器は一定の時間Ｔ１内で、受信したのは波長ラベルにおける「１」信号の可能性もあって、伝送されるのは波長ラベルの「０」信号の可能性もあって、この時にＯＳＮＲ検出器の波長ラベルの変調深度値ｍ２があって、同時にＯＳＮＲ検出器は波長ラベル信号を利用して、この波長における波長ラベルの変調深度値ｍ１を受信して、ｍ１とｍ２よりＯＳＮＲ値を算出する。波長ラベルローダの波長ラベルの変調深度値ｍ１がＯＳＣチャネルより転送されると、ＯＳＮＲ検出器この時にある波長ラベルの変調深度値ｍ２を検出して、ＯＳＣチャネルを利用してロード側の波長ラベル変調深度値ｍ１を受信して、ｍ１とｍ２よりＯＳＮＲ値を算出する。
【００７０】
以上は、本発明のより好ましい実施例に過ぎなくて、本発明の保護範囲を制限するものではない。
【産業上の利用可能性】
【００７１】
本発明の実施例より提供される光信号対雑音比の検出方法、システム及び装置は、波長ラベル信号のロード変調深度と現在の変調深度に従って各波長光信号のＯＳＮＲ値を取得し、光サービス信号の変調パターンを考慮する必要がなく、検出アルゴリズムを簡略化して、現在の４０Ｇ、１００Ｇ等の高速率の光信号のＯＳＮＲテスト、特に偏波多重光信号のＯＳＮＲテストに適用する。
【図１】
0006005295.tif 000012
【図２】
0006005295.tif 000013
【図３】
0006005295.tif 000014
【図４】
0006005295.tif 000015
【図５】
0006005295.tif 000016
【図６】
0006005295.tif 000017
【図７】
0006005295.tif 000018
【図８】
0006005295.tif 000019